(57)【特許請求の範囲】
【請求項１】
軒先に設けられた軒樋の底部にサイフォン効果を生じる呼び樋が接続され、
この呼び樋に竪樋が接続され、
前記竪樋の口径が前記呼び樋の口径より大きくなっており、
前記呼び樋の外側は化粧カバーによって覆われており、
この化粧カバーの断面は前記竪樋の断面と等しい形状、大きさとなっており、
前記化粧カバーが前記竪樋に接続されていることを特徴とするサイフォン式雨樋装置。
【請求項２】
請求項１に記載のサイフォン式雨樋装置において、
前記呼び樋は、水平に設けられた水平呼び樋と、鉛直に設けられて前記水平呼び樋に接続された鉛直呼び樋を有することを特徴とするサイフォン式雨樋装置。
【請求項３】
請求項１に記載のサイフォン式雨樋装置において、
前記呼び樋は、前記軒樋の底部に接続されたドレン部と、このドレン部に略水平に接続された水平呼び樋と、この水平呼び樋に接続されたエルボと、このエルボに鉛直に接続された鉛直呼び樋とを備えていることを特徴とするサイフォン式雨樋装置。
【請求項４】
請求項３に記載のサイフォン式雨樋装置において、
前記ドレン部は、略Ｌ型のドレンエルボであることを特徴とするサイフォン式雨樋装置。
【請求項５】
請求項３または４に記載のサイフォン式雨樋装置において、
前記呼び樋の外側は化粧カバーによって覆われており、
この化粧カバーは、前記ドレン部、前記水平呼び樋、前記エルボ、前記鉛直呼び樋の外側をそれぞれ覆うドレン部カバー、水平呼び樋カバー、エルボカバー、鉛直呼び樋カバーを接続することによって構成されていることを特徴とするサイフォン式雨樋装置。
【発明の詳細な説明】
【技術分野】
【０００１】
本発明は、サイフォン式雨樋装置に関する。
【背景技術】
【０００２】
サイフォン式雨樋装置の一例と特許文献１に記載のものが知られている。
このサイフォン式雨樋装置は、軒先に設けられた軒樋の底壁に排水ドレンが設けられ、この排水ドレンに、下方に呼び樋と竪樋がエルボを介してこの順に接続され、竪樋の下端部が地中に埋設された排水管に接続されており、前記竪樋の口径が呼び樋の口径よりも小さくされているものである。
このような雨樋装置によれば、排水ドレンから呼び樋を流下する雨水は竪樋の中を満水状態にして流下することになるので、排水ドレンから呼び樋に流れ込んだ雨水は、竪樋内でサイフォン効果が生じ、この結果、排水処理量を増加させることができる。
【先行技術文献】
【特許文献】
【０００３】
【特許文献１】特許第４５８９６５５号公報
【発明の概要】
【発明が解決しようとする課題】
【０００４】
このように、上記従来のサイフォン式雨樋装置では、竪樋にサイフォン効果を生じさせるようになっているので、竪樋内が雨水で満水状態にないと当該竪樋にサイフォン効果は生じない。
通常、竪樋は呼び樋より長く、特に２階建てやそれ以上の建物の場合、さらに竪樋が長くなる。このため、降雨量が少ないと竪樋内が満水状態となり難く、サイフォン効果が生じ難い。
一方、降雨量が少なくてサイフォン効果が生じなくても、雨水は竪樋内を自然落下していくので、さほど問題は生じないが、サイフォン効果によって軒樋内の雨水を強制的に吸い出すことができれば、軒樋の横断面を小さくできるので、軒樋を小さくでき、軒樋の材料費を軽減できるとともに、外観意匠性を高めることができる。
【０００５】
本発明は上記事情に鑑みてなされたもので、降雨量が少なくてもサイフォン効果によって軒樋内の雨水を吸い出すことができるサイフォン式雨樋装置を提供することを課題としている。
【課題を解決するための手段】
【０００６】
上記課題を解決するために、請求項１に記載の発明は、例えば図１〜図３に示すように、軒先に設けられた軒樋７の底部にサイフォン効果を生じる呼び樋１２が接続され、
この呼び樋１２に竪樋１３が接続され、
前記竪樋１３の口径が前記呼び樋１２の口径より大きくなっており、
前記呼び樋１２の外側は化粧カバー３０によって覆われており、
この化粧カバー３０の断面は前記竪樋１３の断面と等しい形状、大きさとなっており、
前記化粧カバー３０が前記竪樋１３に接続されていることを特徴とする。
【０００７】
請求項１に記載の発明によれば、軒樋７の底部にサイフォン効果を生じる呼び樋１２が接続されているので、降雨量が少なくても呼び樋１２内が雨水で満水となり易く、その結果、サイフォン効果によって軒樋７内の雨水を強制的に吸い出すことができる。
そして、サイフォン効果によって呼び樋１２内を満水状態で流れる雨水は竪樋１３内を自然落下によって流れ落ちるが、竪樋１３の口径が呼び樋１２の口径より大きいので、呼び樋１２内をサイフォン効果によって流れる雨水を問題なく排水できる。
【０００９】
しかも、化粧カバー３０の断面が竪樋１３の断面と等しい形状、大きさとなっているので、外観上同じ形状、太さの呼び樋と竪樋に見え、デザイン性に優れたものとなる。
また、化粧カバー３０によって呼び樋１２を風雨等から保護できる。
【００１０】
請求項２に記載の発明は、請求項１に記載のサイフォン式雨樋装置において、
前記呼び樋１２は、水平に設けられた水平呼び樋１５と、鉛直に設けられて前記水平呼び樋１５に接続された鉛直呼び樋１７を有することを特徴とする。
【００１１】
ここで、鉛直呼び樋１７の長さは、軒樋７の底部から鉛直呼び樋１７の下端までの鉛直距離が１ｍ以上となるような長さが望ましい。したがって、鉛直呼び樋１７の長さ自体を少なくとも１ｍ以上とすればよいが、鉛直呼び樋１７の長さは１ｍ以上であれば、サイフォン効果にさほど変わりがないため、あまり長くする必要はない。例えば、鉛直呼び樋１７の長さは１ｍ以上、１．５ｍ以下とするのが望ましい。
【００１２】
請求項２に記載の発明によれば、呼び樋１２が鉛直呼び樋１７を有するので、この鉛直呼び樋１７を竪樋１３に接続することによって、呼び樋１２を竪樋１３に容易に接続できる。
また、鉛直呼び樋１７を有するので、呼び樋１２にサイフォン効果が生じ易くなる。
【００１３】
請求項３に記載の発明は、請求項１に記載のサイフォン式雨樋装置において、
前記呼び樋１２は、前記軒樋７の底部に接続されたドレン部１４と、このドレン部１４に略水平に接続された水平呼び樋１５と、この水平呼び樋１５に接続されたエルボ１６と、このエルボ１６に鉛直に接続された鉛直呼び樋１７とを備えていることを特徴とする。
【００１４】
請求項３に記載の発明によれば、呼び樋１２を、ドレン部１４、水平呼び樋１５、エルボ１６、鉛直呼び樋１７を備えた構成としたので、軒樋７の位置や大きさに応じて、適宜の長さのドレン部１４、水平呼び樋１５、エルボ１６、鉛直呼び樋１７を組み立てることによって、サイフォン式雨樋装置１を容易に組み立てることができる。
【００１５】
請求項４に記載の発明は、請求項３に記載のサイフォン式雨樋装置において、
前記ドレン部１４は、略Ｌ型のドレンエルボ１４であることを特徴とする。
【００１６】
請求項４に記載の発明によれば、ドレン部１４がドレンエルボ１４であるので、別途エルボを使用しなくても、軒樋７と水平呼び樋１５とをドレンエルボ１４によって接続できる。
【００１７】
請求項５に記載の発明は、請求項３または４に記載のサイフォン式雨樋装置において、
前記呼び樋１２の外側は化粧カバー３０によって覆われており、
この化粧カバー３０は、前記ドレン部１４、前記水平呼び樋１５、前記エルボ１６、前記鉛直呼び樋１７の外側をそれぞれ覆うドレン部カバー２０、水平呼び樋カバー２２、エルボカバー２５、鉛直呼び樋カバー２６を接続することによって構成されていることを特徴とする。
【００１８】
請求項５に記載の発明によれば、化粧カバー３０がドレン部カバー２０、水平呼び樋カバー２２、エルボカバー２５、鉛直呼び樋カバー２６を接続することによって構成されているので、呼び樋１２の形状、長さに応じた化粧カバー３０によって呼び樋１２を覆うことができる。
【発明の効果】
【００１９】
本発明によれば、軒樋の底部にサイフォン効果を生じる呼び樋が接続され、この呼び樋に竪樋が接続されているので、降雨量が少なくても呼び樋内が雨水で満水となり易く、その結果、サイフォン効果によって軒樋内の雨水を強制的に吸い出すことができる。
また、竪樋の口径が呼び樋の口径より大きくなっているので、呼び樋内をサイフォン効果によって流れる雨水を竪樋によって問題なく排水できる。
しかも、化粧カバーの断面が竪樋の断面と等しい形状、大きさとなっているので、外観上同じ形状、太さの呼び樋と竪樋に見え、デザイン性に優れたものとなる。
【図面の簡単な説明】
【００２０】
【図１】本発明に係るサイフォン式雨樋装置の一例を示すもので、サイフォン式雨樋装置を軒先に設けた状態を示す断面図である。
【図２】同、サイフォン式雨樋装置の拡大断面図である。
【図３】同、サイフォン式雨樋装置の解斜視図である。
【発明を実施するための形態】
【００２１】
以下、図面を参照して本発明に係るサイフォン式雨樋装置の一例について説明する。
図１は本発明に係るサイフォン式雨樋装置を軒先に設けた状態を示す断面図、図２はサイフォン式雨樋装置の拡大断面図、図３はサイフォン式雨樋装置の解斜視図である。
まず、本発明に係るサイフォン式雨樋装置を設ける軒先の構造について図１を参照して説明する。
図１において符号１は屋根を示す。この屋根１は、複数の屋根パネルを建物躯体上に敷設することによって屋根本体２を構成し、この屋根本体２の上面にルーフィングを挟んで屋根材３を敷設してなるものである。なお、屋根パネルは框材を矩形枠状に組み立て矩形枠を形成するとともに、この矩形枠内に補強桟材を縦横に取り付け、さらに矩形枠の上面に合板等からなる面材を取り付けたものである。
【００２２】
前記屋根本体２の先端面には、調整桁材４が取り付けられており、この調整桁材４の前面４ａは垂直面となっている。この前面４ａには、鼻隠し５と、この鼻隠し５上から吊金具６が取り付けられている。屋根１の軒先には軒樋７が鼻隠し５の前方に配置されており、この軒樋７は吊金具６によって吊持されている。軒樋７は屋根１の軒先に沿って長尺なものであり、その下面７ａは略水平面となっている。
【００２３】
前記鼻隠し５は屋根１の軒先に沿って長尺（図１において紙面と直交する方法に長尺）なものであり、その後部は外壁８に合板を介して固定された受部材９によって支持されている。
鼻隠し５の上下方向の略下半分は調整桁材４より下方に延出しており、該鼻隠し５の略下半分には、通気口５ａが形成されている。この通気口５ａは、多数の縦スリットを横方向に所定間隔で形成することによって構成されている。
前記鼻隠し５の上部には、屋根１の先端部上面から延出する軒先水切り１０が上方から被さっており、これによって、軒先水切り１０は鼻隠し５の上部によって下方から支持補強されている。
【００２４】
次に本発明に係るサイフォン式雨樋装置について図１〜図３を参照して説明する。
サイフォン式雨樋装置１１は、呼び樋１２と竪樋１３とを備えている。
呼び樋１２は、軒樋７の底部に接続されたドレン部１４と、このドレン部１４に略水平に接続された水平呼び樋１５と、この水平呼び樋１５に接続されたエルボ１６と、このエルボ１６に鉛直に接続された鉛直呼び樋１７とを備えている。
【００２５】
図２に示すように、ドレン部１４は、略Ｌ型のドレンエルボ１４であり、軒樋７の底部に形成された孔に挿通され、かつ、底部から突出する排水部１４ａと、この排水部１４ａに接続された略Ｌ形の円筒状のドレンパイプ１４ｂとを有している。なお、ドレンパイプ１４ｂは塩ビパイプ製のものである。
ドレンパイプ１４ｂの上端部（一端部）は拡径された拡径部１４ｃとなっており、この拡径部１４ｃが排水部１４ａに接続されている。また、ドレンパイプ１４ｂの右端部（他端部）は拡径された拡径部１４ｄとなっており、この拡径部１４ｄに前記水平呼び樋１５の左端部が挿入されることによって、ドレンパイプ１４ｂに水平呼び樋１５が接続されている。
【００２６】
前記ドレン部１４の外側はドレン部カバー２０によって覆われている。このドレン部カバー２０はＬ型の四角筒状のアルミ合金製ものであり、その上端から前記排水部１４ａが突出しており、左端から前記拡径部１４ｄが突出している。この拡径部１４ｄの基端部には四角形状のフランジ１４ｅが形成され、さらに、拡径部１４ｄの外周部には軸方向に延びるリブ１４ｆが周方向に所定間隔で複数形成されている。このリブ１４ｆの上面と、前記フランジ１４ｅの外周面と、前記ドレン部カバー２０の内周面とはほぼ面一になっている。
【００２７】
前記水平呼び樋１５は円筒状の塩ビパイプ製のものであり、その断面形状、大きさは前記ドレンパイプ１４ｂと等しくなっている。水平呼び樋１５の外周部には、二つのリング状のスペーサ２１，２１が水平呼び樋１５の両端部に外嵌されている。
水平呼び樋１５の外側は水平呼び樋カバー２２によって覆われている。この水平呼び樋カバー２２は四角筒状のアルミ合金製ものであり、その長さは水平呼び樋１５より長くなっている。また、水平呼び樋カバー２２の断面形状、大きさは前記ドレン部カバー２０の断面形状、大きさと等しくなっている。
このような水平呼び樋カバー２２には、水平呼び樋１５が挿入されており、この状態において、前記スペーサ２１，２１が水平呼び樋カバー２２の内周面に当接している。また、水平呼び樋カバー２２の左端部は前記ドレン部１４の拡径部１４ｄの外側に被されるとともに、リブ１４ｆとフランジ１４ｅに水平呼び樋カバー２２の内周面が当接され、さらに、水平呼び樋カバー２２の左端面がドレン部カバー２０の右端面に突き当てられている。
【００２８】
前記エルボ１６はＬ型円筒状の塩ビパイプ製のものであり、その両端部はそれぞれ拡径された拡径部１６ａ，１６ｂとなっている。拡径部１６ａに前記水平呼び樋１５の右端部が挿入されることによって、水平呼び樋１５にエルボ１６が接続されている。また、拡径部１６ｂに前記鉛直呼び樋１７の上端部が挿入されることによって、エルボ１６に鉛直呼び樋１７が接続されている。
前記エルボ１６の外側はエルボカバー２５によって覆われている。このエルボカバー２５はＬ型の四角筒状のアルミ合金製ものであり、その左端から前記拡径部１６ａが突出しており、下端から前記拡径部１６ｂが突出している。この拡径部１６ａ，１６ｂの基端部には四角形状のフランジ１６ｃ，１６ｃが形成され、さらに、拡径部１６ａ，１６ｂの外周部には軸方向に延びるリブ１６ｄが周方向に所定間隔で複数形成されている。このリブ１６ｄの上面と前記フランジ１６ｃの外周面と、前記エルボカバー２５の内周面とはほぼ面一になっている。
【００２９】
また、エルボカバー２５の断面形状、大きさは前記水平呼び樋カバー２２の断面形状、大きさと等しくなっている。
このようなエルボカバー２５には、エルボ１６が挿入され、当該エルボ１６の端部の拡径部１６ａ，１６ｂはエルボカバー２５の端部から突出している。また、前記水平呼び樋カバー２２の右端部はエルボ１６の拡径部１６ａの外側に被されるとともに、リブ１６ｄとフランジ１６ｃに水平呼び樋カバー２２の内周面が当接され、さらに、エルボカバー２５の左端面が水平呼び樋カバー２２の右端面に突き当てられている。
【００３０】
前記鉛直呼び樋１７は、円筒状の塩ビパイプ製のものであり、その断面形状、大きさは前記エルボ１６と等しくなっている。鉛直呼び樋１７の外周部には、二つのリング状のスペーサ２１，２１が鉛直呼び樋１７の両端部に外嵌されている。
鉛直呼び樋１７の外側は鉛直呼び樋カバー２６によって覆われている。この鉛直呼び樋カバー２６は四角筒状のアルミ合金製ものであり、その長さは鉛直呼び樋１７より長くなっている。また、鉛直呼び樋カバー２６の断面形状、大きさは前記エルボカバー２５の断面形状、大きさと等しくなっている。
このような鉛直呼び樋カバー２６には、鉛直呼び樋１７が挿入されており、この状態において、前記スペーサ２１，２１が鉛直呼び樋カバー２６の内周面に当接している。また、鉛直呼び樋カバー２６の上端部は前記エルボ１６の拡径部１６ｂの外側に被されるとともに、リブ１６ｄとフランジ１６ｃに鉛直呼び樋カバー２６の内周面が当接され、さらに、鉛直呼び樋カバー２６の上端面がエルボカバー２５の下端面に突き当てられている。また、鉛直呼び樋１７の下端部は鉛直呼び樋カバー２６の下端より下方に突出している。
さらに、鉛直呼び樋カバー２６の外壁８側を向く側面には取付部２６ａが固定されており、この取付部２６ａが外壁８に取り付けられることによって、鉛直呼び樋カバー２６が外壁８に、当該外壁８に沿ってかつ当該外壁８と所定間隔をもって取り付けられている。
【００３１】
前記竪樋１３は四角筒状のアルミ合金製ものであり、その下端部は地中に埋設された図示しない排水管に接続されている。
また、竪樋１３の断面形状、大きさは前記鉛直呼び樋カバー２６の断面形状、大きさと等しくなっている。
さらに、竪樋１３の外壁８側を向く側面には取付部１３ａが固定されており、この取付部１３ａが外壁８に取り付けられることによって、竪樋１３が外壁８に、当該外壁８に沿ってかつ当該外壁８と所定間隔をもって取り付けられている。
上記のような竪樋１３の上端部には、前記鉛直呼び樋１７の下端部が挿入されている。竪樋１３の口径（直径）は、鉛直呼び樋１７の口径（直径）より大きくなっている。
ここで、呼び樋１２は、ドレン部１４と水平呼び樋１５とエルボ１６と鉛直呼び樋１７とによって構成されており、ドレン部１４のドレンパイプ１４ｂ、水平呼び樋１５、エルボ１６、鉛直呼び樋１７のそれぞれの口径は等しくなっている。したがって、竪樋１３の口径は呼び樋１２の口径より大きくなっている。また、呼び樋１２の開口面積は１５cm2〜２０cm2程度である。
【００３２】
上記のような竪樋１３はアルミ継手２７によって鉛直呼び樋カバー２６に接続されている。このアルミ継手２７は四角筒状のアルミ合金製ものであり、その外径が前記竪樋１３の内径および鉛直呼び樋カバー２６の内径とほぼ等しくなっている。
アルミ継手２７の外周部には、軸方向中央部にリブ２７ａが周方向に延在して形成されている。そして、アルミ継手２７の下半分が竪樋１３の上端部に挿入され、上半分が鉛直呼び樋カバー２６に下端部に挿入されている。竪樋１３の上端はリブ２７ａに下方から当接され、鉛直呼び樋カバー２６の下端はリブ２７ａに上方から当接されている。これによって、竪樋１３はアルミ継手２７によって鉛直呼び樋カバー２６に接続されている。
【００３３】
上記のようなドレン部カバー２０、水平呼び樋カバー２２、エルボカバー２５、鉛直呼び樋カバー２６によって化粧カバー３０が構成しており、この化粧カバー３０によって呼び樋１２の外側が覆われている。
また、この化粧カバー３０に竪樋１３が接続され、当該化粧カバー３０、竪樋１３はその断面形状や大きさが等しく、材質もアルミ合金製で同じものであるので、外観上、連続した呼び樋と竪樋となる。
【００３４】
本実施の形態のサイフォン式雨樋装置によれば、軒樋７の底部にサイフォン効果を生じる呼び樋１２が接続されているので、降雨量が少なくても呼び樋１２内が雨水で満水となり易く、その結果、サイフォン効果によって軒樋７内の雨水を強制的に吸い出すことができる。
そして、サイフォン効果によって呼び樋１２内を満水状態で流れる雨水は竪樋１３内を自然落下によって流れ落ちるが、竪樋１３の口径が呼び樋１２の口径より大きいので、呼び樋１２内をサイフォン効果によって流れる雨水を問題なく排水できる。
【００３５】
また、化粧カバー３０の断面が竪樋１３の断面と等しい形状、大きさとなっているので、外観上同じ形状、太さの呼び樋と竪樋に見え、デザイン性に優れたものとなる。また、化粧カバー３０によって呼び樋１２を風雨等から保護できる。
さらに、呼び樋１２が鉛直呼び樋１７を有するので、この鉛直呼び樋１７を竪樋１３に接続することによって、呼び樋１２を竪樋１３に容易に接続できる。また、鉛直呼び樋１７を有するので、呼び樋１２にサイフォン効果が生じ易くなる。
また、呼び樋１２を、ドレン部１４、水平呼び樋１５、エルボ１６、鉛直呼び樋１７を備えた構成としたので、軒樋７の位置や大きさに応じて、適宜の長さのドレン部１４、水平呼び樋１５、エルボ１６、鉛直呼び樋１７を組み立てることによって、サイフォン式雨樋装置１を容易に組み立てることができる。
【００３６】
また、ドレン部１４がドレンエルボ１４であるので、別途エルボを使用しなくても、軒樋７と水平呼び樋１５とをドレンエルボ１４によって接続できる。
また、化粧カバー３０がドレン部カバー２０、水平呼び樋カバー２２、エルボカバー２５、鉛直呼び樋カバー２６を接続することによって構成されているので、呼び樋１２の形状、長さに応じた化粧カバー３０によって呼び樋１２を覆うことができる。
【符号の説明】
【００３７】
７  軒樋
１１  サイフォン式雨樋装置
１２  呼び樋
１３  竪樋
１４  ドレン部
１５  水平呼び樋
１６  エルボ
１７  鉛直呼び樋
２０  ドレン部カバー
２２  水平呼び樋カバー
２５  エルボカバー
２６  鉛直呼び樋カバー
【図１】
0005711092.tif 000002
【図２】
0005711092.tif 000003
【図３】
0005711092.tif 000004